【手続補正書】
【提出日】平成22年3月24日(2010.3.24)
【手続補正１】
【補正対象書類名】特許請求の範囲
【補正対象項目名】全文
【補正方法】変更
【補正の内容】
【特許請求の範囲】
【請求項１】
ＰＡＬ（Ｐｈａｓｅ  Ａｌｔｅｒｎａｔｉｎｇ  Ｌｉｎｅ）方式のコンポジット信号を復調するＰＡＬ信号復調装置において、
注目フレーム（ｍ）の搬送色信号を抽出するフレーム搬送色信号抽出部と、
前記注目フレーム（ｍ）の１つ前のフレーム（ｍ−１）と前記注目フレーム（ｍ）の１つ後のフレーム（ｍ＋１）のいずれか一方または両方を用いて前記注目フレーム（ｍ）の色位相歪み補正用色信号を生成して３次元色位相歪み補正用信号を得る３次元色位相歪み補正用色信号取得部と、
前記３次元色位相歪み補正用色信号と、前記フレーム搬送色信号抽出部が抽出した前記搬送色信号とを加減算することによって前記注目フレーム（ｍ）の搬送色差信号を抽出する搬送色差信号抽出部とを備えることを特徴とするＰＡＬ信号復調装置。
【請求項２】
前記コンポジット信号に対してクロマ帯域を通過させるバンドバスフィルタリング処理を行いＢＰＦ出力信号を得るＢＰＦ処理部をさらに備え、
前記３次元色位相歪み補正用色信号取得部は、前記フレーム（ｍ−１）と前記フレーム（ｍ＋１）の前記ＢＰＦ出力信号のいずれか一方、または前記フレーム（ｍ＋１）の前記ＢＰＦ出力信号の反転信号と前記フレーム（ｍ−１）の前記ＢＰＦ出力信号との平均値を前記注目フレーム（ｍ）の３次元色位相歪み補正用色信号として取得することを特徴とする請求項１に記載のＰＡＬ信号復調装置。
【請求項３】
前記３次元色位相歪み補正用色信号取得部は、前記フレーム（ｍ−１）の前記ＢＰＦ出力信号と、前記フレーム（ｍ＋１）の前記ＢＰＦ出力信号の反転信号とを重付平均するものであり、
前記注目フレーム（ｍ）の２つ前のフレーム（ｍ−２）と前記注目フレーム（ｍ）の前記ＢＰＦ出力信号を用いて該２つのフレーム間のフレーム相関を算出し、
前記注目フレーム（ｍ）の２つ後のフレーム（ｍ＋２）と前記注目フレーム（ｍ）の前記ＢＰＦ出力信号を用いて該２つのフレーム間のフレーム相関を算出し、
前記フレーム（ｍ−１）の前記ＢＰＦ出力信号と、前記フレーム（ｍ＋１）の前記ＢＰＦ出力信号の反転信号とを、２つの前記フレーム相関の相対的な大小関係に応じた重付係数で重付平均することを特徴とする請求項２に記載のＰＡＬ信号復調装置。
【請求項４】
前記フレーム搬送色信号抽出部は、前記注目フレーム（ｍ）の前記ＢＰＦ出力信号を前記搬送色信号として前記搬送色差信号抽出部に供することを特徴とする請求項２または３に記載のＰＡＬ信号復調装置。
【請求項５】
前記注目フレーム（ｍ）の２つ前のフレーム（ｍ−２）と前記注目フレーム（ｍ）と前記注目フレーム（ｍ）の２つ後のフレーム（ｍ＋２）の前記ＢＰＦ出力信号とから前記注目フレーム（ｍ）の搬送色信号を抽出するフレームロジカルコムフィルタと、
前記フレームロジカルコムフィルタが抽出した前記搬送色信号を、前記注目フレーム（ｍ）のコンポジット信号から減算して前記注目フレーム（ｍ）の輝度信号を得る輝度信号抽出部をさらに備えることを特徴とする請求項４に記載のＰＡＬ信号復調装置。
【請求項６】
前記フレーム搬送色信号抽出部は、前記注目フレーム（ｍ）の２つ前のフレーム（ｍ−２）と、前記注目フレーム（ｍ）と、前記注目フレーム（ｍ）の２つ後のフレーム（ｍ＋２）の前記ＢＰＦ出力信号とから前記注目フレーム（ｍ）の前記搬送色信号を抽出するフレームロジカルコムフィルタであることを特徴とする請求項２または３に記載のＰＡＬ信号復調装置。
【請求項７】
前記注目フレーム（ｍ）のコンポジット信号から、前記フレームロジカルコムフィルタが抽出した前記注目フレーム（ｍ）の前記搬送色信号を減算して輝度信号を得る輝度信号抽出部をさらに備えることを特徴とする請求項６に記載のＰＡＬ信号復調装置。
【請求項８】
前記コンポジット信号から動きを検出する動き検出部と、
注目ライン（ｎ）の１つ前のライン（ｎ−１）と前記注目ライン（ｎ）の１つ後のライン（ｎ＋１）の前記ＢＰＦ出力信号のいずれか一方、または前記ライン（ｎ＋１）の前記ＢＰＦ出力信号の反転信号と前記ライン（ｎ−１）の前記ＢＰＦ出力信号との平均値を前記注目ライン（ｎ）の２次元色位相歪み補正用色信号として取得する２次元色位相歪み補正用色信号取得部と、
前記動き検出部が検出した動きが大きいほど、前記２次元色位相歪み補正用色信号取得部が取得した前記２次元色位相歪み補正用色信号の重みが大きくなるように、前記注目フレーム（ｍ）における前記注目ライン（ｎ）の前記３次元色位相歪み補正用色信号と、前記注目ライン（ｎ）の前記２次元色位相歪み補正用色信号とを重付平均して前記注目ライン（ｎ）の平均色位相歪み補正用色信号を得る平均色位相歪み補正用色信号取得部と、
前記注目ライン（ｎ）の搬送色信号を抽出するライン搬送色信号抽出部とをさらに備え、
前記搬送色差信号抽出部は、前記ライン搬送色信号抽出部が抽出した前記注目ライン（ｎ）の搬送色信号と、前記平均色位相歪み補正用色信号とを加減算することによって前記注目ライン（ｎ）の搬送色差信号を抽出することを特徴とする請求項２に記載のＰＡＬ信号復調装置。
【請求項９】
前記２次元色位相歪み補正用色信号取得部は、
前記注目ライン（ｎ）の２つ前のライン（ｎ−２）と前記注目ライン（ｎ）の前記ＢＰＦ出力信号を用いて該２つのライン間のライン相関を算出し、
前記注目ライン（ｎ）の２つ後のライン（ｎ＋２）と前記注目ライン（ｎ）の前記ＢＰＦ出力信号を用いて該２つのライン間のライン相関を算出し、
前記ライン（ｎ−１）の前記ＢＰＦ出力信号と、前記ライン（ｎ＋１）の前記ＢＰＦ出力信号の反転信号とを、２つの前記ライン相関の相対的な大小関係に応じた重付係数で重付平均して前記２次元色位相歪み補正用色信号を取得することを特徴とする請求項８に記載のＰＡＬ信号復調装置。
【請求項１０】
前記ライン搬送色信号抽出部は、前記注目ライン（ｎ）の前記ＢＰＦ出力信号を前記搬送色信号として前記搬送色差信号抽出部に供することを特徴とする請求項８または９に記載のＰＡＬ信号復調装置。
【請求項１１】
前記注目ライン（ｎ）の２つ前のライン（ｎ−２）と前記注目ライン（ｎ）と前記注目ライン（ｎ）の２つ後のライン（ｎ＋２）の前記ＢＰＦ出力信号とから前記注目ライン（ｎ）の搬送色信号を抽出するラインロジカルコムフィルタと、
前記注目フレーム（ｍ）の２つ前のフレーム（ｍ−２）と前記注目フレーム（ｍ）と前記注目フレーム（ｍ）の２つ後のフレーム（ｍ＋２）の前記ＢＰＦ出力信号とから前記注目フレーム（ｍ）の搬送色信号を抽出するフレームロジカルコムフィルタと、
前記動き検出部が検出した動きが大きいほど、前記ラインロジカルコムフィルタが抽出した前記注目ライン（ｎ）の搬送色信号の重みが大きくなるように、前記フレームロジカルコムフィルタが抽出した前記注目フレーム（ｍ）における前記注目ライン（ｎ）の搬送色信号と前記ラインロジカルコムフィルタが抽出した前記注目ライン（ｎ）の搬送色信号とを重付平均して前記注目ライン（ｎ）の平均搬送色信号を得る平均搬送色信号抽出部と、
前記注目ライン（ｎ）のコンポジット信号から前記平均搬送色信号を減算して該注目ライン（ｎ）の輝度信号を抽出する輝度信号抽出部とをさらに備えることを特徴とする請求項１０に記載のＰＡＬ信号復調装置。
【請求項１２】
前記注目ライン（ｎ）の２つ前のライン（ｎ−２）と前記注目ライン（ｎ）と前記注目ライン（ｎ）の２つ後のライン（ｎ＋２）の前記ＢＰＦ出力信号とから前記注目ライン（ｎ）の搬送色信号を抽出するラインロジカルコムフィルタと、
前記注目フレーム（ｍ）の２つ前のフレーム（ｍ−２）と前記注目フレーム（ｍ）と前記注目フレーム（ｍ）の２つ後のフレーム（ｍ＋２）の前記ＢＰＦ出力信号とから前記注目フレーム（ｍ）の搬送色信号を抽出するフレームロジカルコムフィルタとをさらに備え
、
前記ライン搬送色信号抽出部は、前記動き検出部が検出した動きが大きいほど、前記ラインロジカルコムフィルタが抽出した前記注目ライン（ｎ）の搬送色信号の重みが大きくなるように、前記フレームロジカルコムフィルタが抽出した前記注目フレーム（ｍ）における前記注目ライン（ｎ）の搬送色信号と前記ラインロジカルコムフィルタが抽出した前記注目ライン（ｎ）の搬送色信号とを重付平均して前記注目ライン（ｎ）の平均搬送色信号を得るものであり、
前記搬送色差信号抽出部は、前記ライン搬送色信号抽出部が得た前記注目ライン（ｎ）の前記平均搬送色信号と、前記平均色位相歪み補正用色信号とを加減算することによって前記注目ライン（ｎ）の搬送色差信号を抽出することを特徴とする請求項８または９に記載のＰＡＬ信号復調装置。
【請求項１３】
前記注目ライン（ｎ）のコンポジット信号から前記平均搬送色信号を減算して該注目ライン（ｎ）の輝度信号を抽出する輝度信号抽出部をさらに備えることを特徴とする請求項１２に記載のＰＡＬ信号復調装置。
【請求項１４】
前記３次元色位相歪み補正用色信号取得部は、前記フレーム（ｍ＋１）の反転信号と前記フレーム（ｍ−１）との平均値を前記注目フレーム（ｍ）の３次元色位相歪み補正用色信号として取得することを特徴とする請求項１に記載のＰＡＬ信号復調装置。
【請求項１５】
前記フレーム搬送色信号抽出部は、前記注目フレーム（ｍ）の２つ前のフレーム（ｍ−２）と前記注目フレーム（ｍ）と前記注目フレーム（ｍ）の２つ後のフレーム（ｍ＋２）とから前記注目フレーム（ｍ）の前記搬送色信号を抽出するフレームロジカルコムフィルタであることを特徴とする請求項１４に記載のＰＡＬ信号復調装置。
【請求項１６】
前記注目フレーム（ｍ）のコンポジット信号から、前記フレームロジカルコムフィルタが抽出した前記注目フレーム（ｍ）の前記搬送色信号を減算して輝度信号を得る輝度信号抽出部をさらに備えることを特徴とする請求項１５に記載のＰＡＬ信号復調装置。
【請求項１７】
前記コンポジット信号から動きを検出する動き検出部と、
注目ライン（ｎ）の１つ後のライン（ｎ＋１）の反転信号と前記注目ライン（ｎ）の１つ前のライン（ｎ−１）との平均値を前記注目ライン（ｎ）の２次元色位相歪み補正用色信号として取得する２次元色位相歪み補正用色信号取得部と、
前記動き検出部が検出した動きが大きいほど、前記２次元色位相歪み補正用色信号取得部が取得した前記２次元色位相歪み補正用色信号の重みが大きくなるように、前記注目フレーム（ｍ）における前記注目ライン（ｎ）の前記３次元色位相歪み補正用色信号と、前記注目ライン（ｎ）の前記２次元色位相歪み補正用色信号とを重付平均して前記注目ライン（ｎ）の平均色位相歪み補正用色信号を得る平均色位相歪み補正用色信号取得部と、
前記注目ライン（ｎ）の搬送色信号を抽出するライン搬送色信号抽出部とをさらに備え、
前記搬送色差信号抽出部は、前記ライン搬送色信号抽出部が抽出した前記注目ライン（ｎ）の搬送色信号と、前記平均色位相歪み補正用色信号とを加減算することによって前記注目ライン（ｎ）の搬送色差信号を抽出することを特徴とする請求項１４に記載のＰＡＬ信号復調装置。
【請求項１８】
前記注目ライン（ｎ）の２つ前のライン（ｎ−２）と前記注目ライン（ｎ）と前記注目ライン（ｎ）の２つ後のライン（ｎ＋２）とから前記注目ライン（ｎ）の搬送色信号を抽出するラインロジカルコムフィルタと、
前記注目フレーム（ｍ）の２つ前のフレーム（ｍ−２）と前記注目フレーム（ｍ）と前記注目フレーム（ｍ）の２つ後のフレーム（ｍ＋２）とから前記注目フレーム（ｍ）の搬送色信号を抽出するフレームロジカルコムフィルタとをさらに備え、  
前記ライン搬送色信号抽出部は、前記動き検出部が検出した動きが大きいほど、前記ラインロジカルコムフィルタが抽出した前記注目ライン（ｎ）の搬送色信号の重みが大きくなるように、前記フレームロジカルコムフィルタが抽出した前記注目フレーム（ｍ）における前記注目ライン（ｎ）の搬送色信号と前記ラインロジカルコムフィルタが抽出した前記注目ライン（ｎ）の搬送色信号とを重付平均して前記注目ライン（ｎ）の平均搬送色信号を得るものであり、
前記搬送色差信号抽出部は、前記ライン搬送色信号抽出部が得た前記注目ライン（ｎ）の前記平均搬送色信号と、前記平均色位相歪み補正用色信号とを加減算することによって前記注目ライン（ｎ）の搬送色差信号を抽出することを特徴とする請求項１７に記載のＰＡＬ信号復調装置。
【請求項１９】
前記注目ライン（ｎ）のコンポジット信号から前記平均搬送色信号を減算して該注目ライン（ｎ）の輝度信号を抽出する輝度信号抽出部をさらに備えることを特徴とする請求項１８に記載のＰＡＬ信号復調装置。